【手続補正書】
【提出日】平成18年11月30日(2006.11.30)
【手続補正１】
【補正対象書類名】特許請求の範囲
【補正対象項目名】全文
【補正方法】変更
【補正の内容】
【特許請求の範囲】
【請求項１】
水分含量が20〜300 ppmの乾燥タルク0.001〜0.1重量％を含むポリエステルを含んでなる、低減された摩擦係数及び許容されうる透明度を有するポリエステル。
【請求項２】
ポリエステルが乾燥タルク0.001〜0.05重量％を含む請求項１に記載のポリエステル。
【請求項３】
乾燥タルクが平均粒子径0.05〜50μｍを有する請求項１に記載のポリエステル。
【請求項４】
乾燥タルクが50〜250 ppmの水を含む請求項１に記載のポリエステル。
【請求項５】
摩擦係数が0.01〜1.0である請求項１に記載のポリエステル。
【請求項６】
ポリエステルが乾燥タルク0.001〜0.02重量％を含む請求項１に記載のポリエステル。
【請求項７】
ヘイズ値0.1〜４％の透明度を有する請求項６に記載のポリエステル。
【請求項８】
ポリエステルがポリ（エチレンテレフタレート）、ポリ（エチレンナフタレート）、ポリ（エチレンイソフタレート）及びポリ（エチレンブチレンテレフタレート）よりなる群から選ばれる請求項１に記載のポリエステル。
【請求項９】
ポリエステルがポリ（エチレンテレフタレート）である請求項１に記載のポリエステル。
【請求項１０】
水分含量が20〜300 ppmの乾燥タルク0.001〜0.1重量％を含むポリエステルを含んでなる、低減された摩擦係数及び許容されうる透明度を有するポリエステル容器。
【請求項１１】
ポリエステルが乾燥タルク0.001〜0.05重量％を含む請求項１０に記載のポリエステル容器。
【請求項１２】
乾燥タルクの平均粒子径が0.05〜50μｍである請求項１０に記載のポリエステル容器。
【請求項１３】
乾燥タルクが50〜250 ppmの水を含む請求項１０に記載のポリエステル容器。
【請求項１４】
摩擦係数が0.01〜1.0である請求項１０に記載のポリエステル容器。
【請求項１５】
ポリエステルが乾燥タルク0.001〜0.02重量％を含む請求項１０に記載のポリエステル容器。
【請求項１６】
ヘイズ値0.1〜４％の透明度を有する請求項１５に記載のポリエステル容器。
【請求項１７】
ポリエステルが、ポリ（エチレンテレフタレート）、ポリ（エチレンナフタレート）、ポリ（エチレンイソフタレート）及びポリ（エチレンブチレンテレフタレート）よりなる群から選ばれる請求項１０に記載のポリエステル容器。
【請求項１８】
ポリエステルがポリ（エチレンテレフタレート）である請求項１０に記載のポリエステル容器。
【請求項１９】
結束タルク0.001〜0.1重量％を含むポリエステルを含んでなる、低減された摩擦係数及び増大された透明度を有するポリエステル。
【請求項２０】
ポリエステルが結束タルク0.001〜0.05重量％を含む請求項１９に記載のポリエステル。
【請求項２１】
結束タルクが平均粒子径0.05〜50μmを有する請求項１９に記載のポリエステル。
【請求項２２】
摩擦係数が0.01〜1.0である請求項１９に記載のポリエステル。
【請求項２３】
ヘイズ値0.1〜３％の透明度を有する請求項１９に記載のポリエステル。
【請求項２４】
結束タルク中のタルクが水分含量20〜300 ppmの乾燥タルクを含む請求項１９に記載のポリエステル。
【請求項２５】
乾燥タルクが50〜250 ppmの水を含有する請求項２４に記載のポリエステル。
【請求項２６】
結束タルク0.001〜0.1重量％を含むポリエステルを含んでなる、低減された摩擦係数及び増大された透明度を有するポリエステル容器。
【請求項２７】
ポリエステルが0.05重量％より少ないタルクを含む請求項２６に記載のポリエステル容器。
【請求項２８】
結束タルクが平均粒子径0.05〜50μmを有する請求項２６に記載のポリエステル容器。
【請求項２９】
摩擦係数が0.01〜1.0である請求項２６に記載のポリエステル容器。
【請求項３０】
ヘイズ値0.1〜３％の透明度を有する請求項２６に記載のポリエステル容器。
【請求項３１】
結束タルク中のタルクが、水分含量が20〜300 ppmの乾燥タルクを含んでなる請求項２６に記載のポリエステル容器。
【請求項３２】
乾燥タルクが50〜250 ppmの水を含む請求項３１に記載のポリエステル容器。
【請求項３３】
水分含量が20〜300 ppmの乾燥タルクを含んでなる、ポリエステル及びポリエステル容器の製造に有用な粘着防止剤。
【請求項３４】
乾燥タルクが50〜250 ppmの水を含む請求項３３に記載の粘着防止剤。
【請求項３５】
水分含量が20〜300 ppmの結束乾燥タルクを生成するために脂肪酸で処理された乾燥タルクを含んでなる、ポリエステル及びポリエステル容器の製造に有用な粘着防止剤。
【請求項３６】
乾燥タルクが50〜250 ppmの水を含む請求項３５に記載の粘着防止剤。
【請求項３７】
水分含量が20〜300 ppmの乾燥粘着防止剤を含んでなるポリエステル及びポリエステル容器の製造に有用な粘着防止剤。
【請求項３８】
非晶質シリカ、硫酸バリウム、ステアリン酸亜鉛、リン酸カルシウム及びそれらの混合物よりなる群から選ばれる請求項３７に記載の粘着防止剤。
【請求項３９】
乾燥タルクが50〜250 ppmの水を含む請求項３７に記載の粘着防止剤。
【請求項４０】
乾燥粘着防止剤が硫酸バリウムである請求項３７に記載の粘着防止剤。
【請求項４１】
ポリエステル及びタルクを含む組成物から製造された、ボトルであって、そのボトルのヘイズ値が４％未満で、タルクを含まない以外は同じ組成の組成物から製造されたボトルに比較して、摩擦係数が低減されたボトル。
【請求項４２】
炭酸ソフト飲料用ボトルである請求項４１に記載のボトル。
【請求項４３】
２リットルボトルである請求項４２に記載のボトル。
【請求項４４】
前記組成物が平均粒子径0.2〜10μｍのタルク0.005〜0.025重量％を含む請求項４１に記載のボトル。
【請求項４５】
前記組成物が平均粒子径20nm〜７μｍのタルク0.0125〜0.025重量％を含む請求項４１に記載のボトル。
【請求項４６】
ヘイズ値が0.1〜３％である請求項４１に記載のボトル。
【請求項４７】
摩擦係数が0.01〜1.0である請求項４１に記載のボトル。
【請求項４８】
タルクがポリエステルへ添加する前に水含量20〜300 ppmに乾燥されたものである請求項４１に記載のボトル。
【請求項４９】
タルクが脂肪酸で処理されたものである請求項４１に記載のボトル。
【請求項５０】
タルクが、ポリエステルへ添加する前に水含量20〜300 ppmに乾燥されたタルクと、脂肪酸で処理されたタルクとの混合物である請求項４１に記載のボトル。
【請求項５１】
ポリエステルがテレフタル酸、ジメチルテレフタレート、イソフタル酸、ジメチルイソフタレート、ジメチル−２，６−ナフタレンジカルボキシレート、２，６−ナフタレンジカルボン酸又はこれらの混合物から形成されたジカルボン酸繰返し単位及びエチレングリコール、ジエチレングリコール、１，４−シクロヘキサン−ジメタノール、１，４−ブタンジオール又はこれらの混合物から形成されたグリコール繰返し単位を含む請求項４１に記載のボトル。
【請求項５２】
ジカルボン酸繰り返し単位が、15モル％以下の、フタル酸、イソフタル酸、ナフタレン−２，６−ジカルボン酸、シクロヘキサンジカルボン酸、シクロヘキサンジ酢酸、ジフェニル−４，４’−ジカルボン酸、コハク酸、グルタル酸、アジピン酸、アゼライン酸、セバシン酸又はこれらの混合物で変性されている請求項５１に記載のボトル。
【請求項５３】
グリコール繰り返し単位が、15モル％以下の、ジエチレングリコール、トリエチレングリコール、１，４−シクロヘキサンジメタノール、プロパン−１，３−ジオール、ブタン−１，４−ジオール、ペンタン−１，５−ジオール、ヘキサン−１，６−ジオール、３−メチルペンタンジオール−（２，４），２−メチルペンタンジオール−（１，４），２，２，４−トリメチルペンタンジオール−（１，３），２−エチルヘキサンジオール−（１，３），２，２−ジエチルプロパン−ジオール−（１，３）、ヘキサンジオール−（１，３），１，４−ジ−（ヒドロキシエトキシ）−ベンゼン、２，２−ビス−（４−ヒドロキシシクロヘキシル）−プロパン、２，４−ジヒドロキシ−１，１，３，３−テトラメチル−シクロブタン、２，２−ビス−（３−ヒドロキシエトキシフェニル）−プロパン、２，２−ビス−（４−ヒドロキシプロポキシフェニル）−プロパン又はこれらの混合物で変性されている請求項５１に記載のボトル。
【請求項５４】
ポリエステルがポリ（エチレンテレフタレート）である請求項４１に記載のボトル。
【請求項５５】
ポリエステルがテレフタル酸、イソフタル酸及びエチレングリコールのコポリエステルである請求項４１に記載のボトル。
【請求項５６】
ポリエステル及びタルクを含む組成物から製造され、４％未満のヘイズ値を有し、そしてタルクを含まない組成物から製造された容器に比較して低減された摩擦係数を有する延伸吹込成型容器。
【請求項５７】
炭酸飲料ボトルである請求項５６に記載の容器。
【請求項５８】
２リットルのボトルである請求項５７に記載の容器。
【請求項５９】
組成物が平均粒子径0.2〜10μｍのタルク0.005〜0.025重量％を含む請求項５６に記載の容器。
【請求項６０】
組成物が平均粒子径20nm〜７μｍのタルク0.0125〜0.025重量％を含む請求項５６に記載の容器。
【請求項６１】
ヘイズ値が0.1〜３％である請求項５６に記載の容器。
【請求項６２】
摩擦係数が0.01〜1.0である請求項５６に記載の容器。
【請求項６３】
タルクが、ポリエステルへの添加前に、水含量20〜300 ppmに乾燥されたものである請求項５６に記載の容器。
【請求項６４】
タルクが脂肪酸で処理されたものである請求項５６に記載の容器。
【請求項６５】
タルクが、ポリエステルへ添加する前に水含量20〜300 ppmに乾燥されたタルクと、脂肪酸で処理されたタルクとの混合物である請求項５６に記載の容器。
【請求項６６】
ポリエステルがテレフタル酸、ジメチルテレフタレート、イソフタル酸、ジメチルイソフタレート、ジメチル−２，６−ナフタレンジカルボキシレート、２，６−ナフタレンジカルボン酸又はこれらの混合物から形成されたジカルボン酸繰返し単位及びエチレングリコール、ジエチレングリコール、１，４−シクロヘキサン−ジメタノール、１，４−ブタンジオール又はこれらの混合物から形成されたグリコール繰返し単位を含む請求項５６に記載の容器。
【請求項６７】
ジカルボン酸繰り返し単位が、15モル％以下の、フタル酸、イソフタル酸、ナフタレン−２，６−ジカルボン酸、シクロヘキサンジカルボン酸、シクロヘキサンジ酢酸、ジフェニル−４，４’−ジカルボン酸、コハク酸、グルタル酸、アジピン酸、アゼライン酸、セバシン酸又はこれらの混合物で変性されている請求項６６に記載の容器。
【請求項６８】
グリコール繰り返し単位が、15モル％以下の、ジエチレングリコール、トリエチレングリコール、１，４−シクロヘキサンジメタノール、プロパン−１，３−ジオール、ブタン−１，４−ジオール、ペンタン−１，５−ジオール、ヘキサン−１，６−ジオール、３−メチルペンタンジオール−（２，４），２−メチルペンタンジオール−（１，４），２，２，４−トリメチルペンタンジオール−（１，３），２−エチルヘキサンジオール−（１，３），２，２−ジエチルプロパン−ジオール−（１，３）、ヘキサンジオール−（１，３），１，４−ジ−（ヒドロキシエトキシ）−ベンゼン、２，２−ビス−（４−ヒドロキシシクロヘキシル）−プロパン、２，４−ジヒドロキシ−１，１，３，３−テトラメチル−シクロブタン、２，２−ビス−（３−ヒドロキシエトキシフェニル）−プロパン、２，２−ビス−（４−ヒドロキシプロポキシフェニル）−プロパン又はこれらの混合物で変性されている請求項６６に記載の容器。
【請求項６９】
ポリエステルがポリ（エチレンテレフタレート）である請求項６６に記載の容器。
【請求項７０】
ポリエステルがテレフタル酸、イソフタル酸及びエチレングリコールのコポリエステルである請求項１６に記載の容器。
【請求項７１】
ポリエステル及び平均粒子径20nm〜７μｍのタルク0.0125〜0.025重量％を含む組成物から製造された、ボトル予備成形物であって、低減された摩擦係数及び４％未満のヘイズ値を有するボトルに成形できるボトル予備成形物。
【請求項７２】
0.1〜３％のヘイズ値を有するボトルに成形できる請求項７１に記載のボトル予備成形物。
【請求項７３】
0.01〜1.0の摩擦係数を有するボトルに成形できる請求項７１に記載のボトル予備成形物。
【請求項７４】
タルクが、ポリエステルに添加する前に、水含量20〜300 ppmに乾燥されたものである請求項７１に記載のボトル予備成形物。
【請求項７５】
タルクが脂肪酸で変性されたものである請求項７１に記載のボトル予備成形物。
【請求項７６】
タルクが、ポリエステルへ添加する前に水含量20〜300 ppmに乾燥されたタルクと、脂肪酸で処理されたタルクとの混合物である請求項７１に記載のボトル予備成形物。
【請求項７７】
ポリエステルがテレフタル酸、ジメチルテレフタレート、イソフタル酸、ジメチルイソフタレート、ジメチル−２，６−ナフタレンジカルボキシレート、２，６−ナフタレンジカルボン酸又はこれらの混合物から形成されたジカルボン酸繰返し単位及びエチレングリコール、ジエチレングリコール、１，４−シクロヘキサン−ジメタノール、１，４−ブタンジオール又はこれらの混合物から形成されたグリコール繰返し単位を含む請求項７１に記載のボトル予備成形物。
【請求項７８】
ジカルボン酸繰り返し単位が、15モル％以下の、フタル酸、イソフタル酸、ナフタレン−２，６−ジカルボン酸、シクロヘキサンジカルボン酸、シクロヘキサンジ酢酸、ジフェニル−４，４’−ジカルボン酸、コハク酸、グルタル酸、アジピン酸、アゼライン酸、セバシン酸又はこれらの混合物で変性されている請求項７７に記載のボトル予備成形物。
【請求項７９】
グリコール繰り返し単位が、15モル％以下の、ジエチレングリコール、トリエチレングリコール、１，４−シクロヘキサンジメタノール、プロパン−１，３−ジオール、ブタン−１，４−ジオール、ペンタン−１，５−ジオール、ヘキサン−１，６−ジオール、３−メチルペンタンジオール−（２，４），２−メチルペンタンジオール−（１，４），２，２，４−トリメチルペンタンジオール−（１，３），２−エチルヘキサンジオール−（１，３），２，２−ジエチルプロパン−ジオール−（１，３）、ヘキサンジオール−（１，３），１，４−ジ−（ヒドロキシエトキシ）−ベンゼン、２，２−ビス−（４−ヒドロキシシクロヘキシル）−プロパン、２，４−ジヒドロキシ−１，１，３，３−テトラメチル−シクロブタン、２，２−ビス−（３−ヒドロキシエトキシフェニル）−プロパン、２，２−ビス−（４−ヒドロキシプロポキシフェニル）−プロパン又はこれらの混合物で変性されている請求項７７に記載のボトル予備成形物。
【請求項８０】
ポリエステルがポリ（エチレンテレフタレート）である請求項７１に記載のボトル予備成形物。
【請求項８１】
ポリエステルがテレフタル酸、イソフタル酸及びエチレングリコールのポリエステルである請求項７１に記載のボトル予備成形物。
【請求項８２】
平均粒子径が0.2μｍ〜10μｍのタルク0.001〜0.025重量％を含むポリエステルから製造された予備成形物から熱形成することなくボトルに延伸吹込成形された飲料ボトルであって、前記タルクを含まない前記ポリエステルから製造されたボトルに比較して低減された摩擦係数を有し、かつ0.1％〜４％のヘイズ値を有する飲料ボトル。
【請求項８３】
平均粒子径0.2μｍ〜10μｍのタルク0.001〜0.025重量％を含むポリエステルから製造されたボトルで、しかも前記タルクを含まない前記ポリエステルから製造されたボトルに比較して低減された摩擦係数を有しかつ0.1％〜４％のヘイズ値を有するボトルであって、他のボトルに対して垂直に置いた場合に、連続的な点接触で互いに対して回転することができるような平滑表面を有す飲料ボトル。
【請求項８４】
平均粒子径0.2μｍ〜10μｍのタルク0.001〜0.025重量％を含むポリエステルから製造された予備成形物から炭酸ソフト飲料の貯蔵に適したボトルに延伸吹込成形されたボトルで、しかも前記タルクを含まない前記ポリエステルから製造されたボトルに比較して低減された摩擦係数を有しかつ0.1％〜４％のヘイズ値を有する炭酸飲料ボトル。
【請求項８５】
ポリエステル及び平均粒子径0.2μｍ〜10μｍのタルク0.001重量％〜0.025重量％を含んでなる予備成形物から吹込成形されたボトルで、しかも前記タルクを含まない前記ポリエステルから製造されたボトルに比較して低減された摩擦係数を有しかつ0.1％〜４％のヘイズ値を有する垂直壁ボトル。
【請求項８６】
平均粒子径0.2μｍ〜10μｍのタルク0.001〜0.025重量％を含むポリエステルを含んでなる予備成形物で、しかも前記タルクを含まない前記ポリエステルから製造されたボトルに比較して低減された摩擦係数を有する飲料ボトル延伸吹込成形することができる飲料ボトルの予備成形物。
【請求項８７】
平均粒子径0.2μｍ〜10μｍのタルク0.001〜0.025重量％を含むポリエステルを含んでなる予備成形物で、しかも前記タルクを含まない前記ポリエステルから製造されたボトルに比較して低減された摩擦係数を有する飲料ボトル延伸吹込成形することができる予備成形物であって、他の予備成形物に対して垂直に置いた場合に連続的な点接触で互いに対して回転することができるような平滑な表面を有する飲料ボトルの予備成形物。
【請求項８８】
ポリエステル又はコポリエステル及び平均粒子径が0.2〜10μｍのタルク0.005〜0.025重量％を含む組成物から製造され、４％未満のヘイズ値を有する炭酸ソフト飲料ボトル。